【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
ロール紙に印画するプリンタ装置であって、
前記ロール紙を給紙方向に搬送させるために前記ロール紙の外周に当接する給紙位置と、前記ロール紙の外周から離間する待機位置とに移動する給紙ローラと、
前記ロール紙の中空孔に挿入され、前記ロール紙を前記給紙ローラの方向へ付勢するコア軸と、
前記ロール紙の先端を分離するための分離部材であって、前記給紙ローラの移動に連動して前記ロール紙へ当接する位置または前記ロール紙に当接しない退避位置に移動可能な分離部材と、
前記分離部材の移動量を検知する移動量検知手段と、
前記移動量検知手段の検知結果に基づいて前記ロールの残量を算出する算出手段と、
を備えることを特徴とするプリンタ装置。
【請求項２】
前記給紙ローラの前記給紙位置から前記待機位置への移動に連動して前記分離部材を前記退避位置に移動させ、前記給紙ローラの前記待機位置から前記給紙位置への移動に連動して前記分離部材を前記退避位置から前記ロール紙に当接する位置に移動させる連動手段をさらに備え、
前記移動量検知手段は、前記給紙ローラを前記待機位置から前記給紙位置へ移動させた際の前記分離部材の前記退避位置から前記ロール紙に当接する位置への移動量を検知することを特徴とする請求項１に記載のプリンタ装置。
【請求項３】
前記給紙ローラは、前記ロール紙の残量に関わらず、前記給紙位置において前記給紙ローラ側に付勢されている前記ロール紙と当接し、
前記分離部材は、前記ロール紙に当接する前記分離部材の位置が前記ロール紙の残量に応じて変わるように配置されていることを特徴とする請求項１または２に記載のプリンタ装置。
【請求項４】
前記分離部材は、前記給紙ローラが前記ロール紙に当接する位置の給紙方向の下流側に隣接する位置に当接することを特徴とする請求項１から３のいずれか１項に記載のプリンタ装置。
【請求項５】
前記ロール紙が装填されたか否かと装填された前記ロール紙の種類を検知する検知手段と、
前記ロール紙の種類ごとに前記移動量検知手段の検知結果と前記ロール紙の残量との関係を示す換算テーブルと、
を備え、
前記算出手段は、前記移動量検知手段の検知結果と前記換算テーブルとを用いて前記ロール紙の残量を算出することを特徴とする請求項１から３のいずれか１項に記載のプリンタ装置。
【請求項６】
前記移動量検知手段は、印画動作の前に前記分離部材の移動量を検知するとともに、印画動作の後であって前記給紙ローラが前記待機位置から前記給紙位置に移動した後に前記分離部材の移動量を再び検知し、
前記算出手段は、印画動作の前における前記移動量検知手段の検知結果に基づいて算出した前記ロール紙の残量と印画動作の後における前記移動量検知手段の検知結果に基づいて算出した前記ロール紙の残量とを比較して、値の小さい方を正式な前記ロール紙の残量として採用することを特徴とする請求項１から５のいずれか１項に記載のプリンタ装置。
【請求項７】
前記ロール紙が装填された後に、
前記移動量検知手段が前記ロール紙を給紙方向とは反対に所定量だけ回転した後に前記分離部材の移動量を検知し、前記算出手段が前記移動量検知手段の検知結果に基づいて前記ロール紙の残量を算出する、という動作を複数回にわたって繰り返し、
前記算出手段は、算出した前記ロール紙の残量のうち、最も値が小さいものを正式な前記ロール紙の残量に採用することを特徴とする請求項１から６のいずれか１項に記載のプリンタ装置。
【請求項８】
ロール紙を用いるプリンタ装置であって、
ロール紙の外周に当接して前記ロール紙を給紙方向へ駆動する給紙位置と、ロール紙の外周から離間した待機位置とへ移動する給紙ローラと、
前記ロール紙の中空孔に挿入され、前記ロール紙を前記給紙ローラへ向けて付勢するコア軸と、
コア軸に当接するよう付勢され、前記給紙ローラの移動に連動してコア軸に当接する当接位置またはコア軸から離間する退避位置とへ移動するコア軸当接部材と、
前記コア軸当接部材の移動量を検知する移動量検知手段と、
前記移動量検知手段が検知した前記コア軸当接部材の移動量に基づいて前記ロール紙の残量を算出する算出手段と、
を備えることを特徴とするプリンタ装置。
【請求項９】
前記給紙ローラの給紙位置から待機位置への移動に連動して前記コア軸当接部材を当接位置から退避位置へ駆動し、給紙ローラの待機位置から給紙位置への移動に連動して前記コア軸当接部材を退避位置から当接位置へ駆動する連動部材をさらに備え、
前記移動量検知手段は、前記コア軸当接部材の退避位置から当接位置への移動量を検知することを特徴とする請求項８に記載のプリンタ装置。
【請求項１０】
前記ロール紙が装填されたか否かと装填された前記ロール紙の種類を検知する検知手段と、
前記ロール紙の種類ごとに前記移動量検知手段の検知結果と前記ロール紙の残量との関係を示す換算テーブルと、
を備え、
前記算出手段は、前記移動量検知手段の検知結果と前記換算テーブルとを用いて前記ロール紙の残量を算出することを特徴とする請求項８または９に記載のプリンタ装置。
【請求項１１】
前記移動量検知手段は、印画動作の前に前記コア軸当接部材の移動量を検知するとともに、印画動作の後であって前記給紙ローラが前記待機位置から前記給紙位置に移動した後に前記コア軸当接部材の移動量を再び検知し、
前記算出手段は、印画動作の前における前記移動量検知手段の検知結果に基づいて算出した前記ロール紙の残量と印画動作の後における前記移動量検知手段の検知結果に基づいて算出した前記ロール紙の残量とを比較して、値の大きい方を正式な前記ロール紙の残量として採用することを特徴とする請求項８から１０のいずれか１項に記載のプリンタ装置。
【請求項１２】
前記ロール紙が装填された後に、
前記移動量検知手段が前記ロール紙を給紙方向とは反対に所定量だけ回転した後に前記コア軸当接部材の移動量を検知し、前記算出手段が前記移動量検知手段の検知結果に基づいて前記ロール紙の残量を算出する、という動作を複数回にわたって繰り返し、
前記算出手段は、算出した前記ロール紙の残量のうち、最も値が大きいものを正式な前記ロール紙の残量に採用することを特徴とする請求項８から１１のいずれか１項に記載のプリンタ装置。
【請求項１３】
前記ロール紙が装填されているか否かおよび前記算出手段が算出した前記ロール紙の残量を表示する表示手段を有することを特徴とする請求項１から１２のいずれか１項に記載のプリンタ装置。
【手続補正２】
【補正対象書類名】明細書
【補正対象項目名】０００６
【補正方法】変更
【補正の内容】
【０００６】
上記目的を達成するために、本発明は、ロール紙に印画するプリンタ装置であって、前記ロール紙を給紙方向に搬送させるために前記ロール紙の外周に当接する給紙位置と、前記ロール紙の外周から離間する待機位置とに移動する給紙ローラと、前記ロール紙の中空孔に挿入され、前記ロール紙を前記給紙ローラの方向へ付勢するコア軸と、前記ロール紙の先端を分離するための分離部材であって、前記給紙ローラの移動に連動して前記ロール紙へ当接する位置または前記ロール紙に当接しない退避位置に移動可能な分離部材と、前記分離部材の移動量を検知する移動量検知手段と、前記移動量検知手段の検知結果に基づいて前記ロールの残量を算出する算出手段と、を備えることを特徴とする。